(57)【要約】【課題】表示部の測定領域を識別可能な複数の態様で表示状態にする電気回路や実装構成の複雑化を避けることができる撮像機器の測定領域情報表示装置等を提供する。【解決手段】測定領域情報表示装置は、被写体像に重ね合せて複数の測定領域を表示する液晶表示装置２２と、測定領域選択モード変更手段と、測定領域移動指示部材を備える。変更手段は、特定の測定領域を移動指示する操作が可能なモードと不可能なモードとの間で切換えを行う。指示部材は、移動指示操作が可能なモード時に、特定の測定領域を移動指示する。測定領域を示すセグメントの内、選択された特定の測定領域のセグメントを、共通の駆動電圧の印加状態し、他の測定領域のセグメントを、共通の駆動電圧が印加されない状態とする。移動指示が不可能なモード時の共通の駆動電圧に対し、移動指示が可能なモード時には共通の駆動電圧を高くする。【選択図】図１
2010134026.tif 000002
【特許請求の範囲】
【請求項１】
被写体像に重ね合せて複数の測定領域を表示する透過型の液晶表示装置と、
前記複数の測定領域の内、特定の測定領域を移動指示する操作が可能なモードと不可能なモードとの間で切換えを行う測定領域選択モード変更手段と、
特定の測定領域を移動指示する操作が可能な前記測定領域選択モード変更手段の切換えによるモード時に、選択された特定の測定領域を移動指示する測定領域移動指示部材と、を備え、
前記液晶表示装置の複数の測定領域を示すセグメントの内、選択された特定の測定領域のセグメントを、共通の駆動電圧が印加された第１の状態とし、前記選択された特定の測定領域以外の測定領域のセグメントを、前記共通の駆動電圧が印加されない第２の状態とし、
特定の測定領域の移動指示が不可能な前記測定領域選択モード変更手段の切換えによるモード時の前記液晶表示装置の前記共通の駆動電圧に対し、特定の測定領域の移動指示が可能なモード時には前記液晶表示装置の前記共通の駆動電圧を高くすることを特徴とする撮像機器の測定領域情報表示装置。
【請求項２】
撮影レンズからの被写体像を観察するために、撮影光束の少なくとも一部が結像される予定結像面に配置されたフォーカシングスクリーンと、
前記液晶表示装置の近傍に配置された発光素子と、
前記フォーカシングスクリーンの上部に配置された正立像形成部材と、
前記正立像形成部材よりも後方の接眼光学部材の一部に設けられた反射面と、を備え、
前記発光素子からの光束を、前記液晶表示装置を介して前記反射面に投影することで、前記液晶表示装置の複数の測定領域を示すセグメントを、前記フォーカシングスクリーン上に結像された被写体像に重ね合せて、表示することを特徴とする請求項１に記載の撮像機器の測定領域情報表示装置。
【請求項３】
前記液晶表示装置の測定領域を表示する表示部には、前記複数の測定領域として、第１の複数の測定領域と、前記第１の複数の測定領域とは異なる第２の複数の測定領域とを備え、
前記第１の複数の測定領域を示す複数のセグメントと、前記第２の複数の測定領域を示す複数のセグメントとは、夫々、独立に共通の駆動電圧の印加が可能であることを特徴とする請求項１または２に記載の撮像機器の測定領域情報表示装置。
【請求項４】
前記液晶表示装置の測定領域は、焦点検出領域または測光領域であることを特徴とする請求項１、２または３に記載の撮像機器の測定領域情報表示装置。
【発明の詳細な説明】
【技術分野】
【０００１】
本発明は、光学的な像の上に必要な情報を重ね合わせて表示できる透過型の液晶表示装置を持つ焦点検出領域などの測定領域を表示する測定領域情報表示装置、それを持つファインダ装置、撮像機器などに関する。特に、カメラの光学ファインダに用いられるスーパーインポーズ液晶表示装置を持つ測定領域情報表示装置、及びファインダ装置などに関する。
【背景技術】
【０００２】
従来、カメラ等のファインダ装置に、情報表示を行わせる液晶表示装置を組み込んで、カメラ等のファインダ視野内に各種情報を重ねて表示する所謂スーパーインポーズ式表示が行われている。
【０００３】
特許文献１は、スーパーインポーズ式表示が可能なカメラのファインダ装置の一具体例を開示している。このファインダ装置では、ファインダのスクリーン（フォーカシングスクリーン）上部の正立像形成部材としてのペンタダハプリズムの後方に、ファインダ光軸とは異なる光軸を持つ反射面をハーフミラーやプリズムにて形成している。そして、ペンタダハプリズムの近傍に配置された液晶表示装置の表示パターンを上記反射面を介して、スクリーン上のファインダ像と重ねて観察できる様にしている。
【０００４】
また、特許文献２は、別のスーパーインポーズ式表示が可能なカメラとして、同一の表示パターンについて複数(例えば３種類)の状態を区別して情報表現する機能を有するものを開示している。このカメラは、ファインダのスクリーン近傍に透過型液晶パネルを重ねて配置し、スクリーン上のファインダ像と液晶パネルの情報パターンとを重ねて観察できる様にしたファインダ内表示装置を有する。このファインダ内表示装置では、画面内に設けた複数の測定（例えば焦点検出）エリアを表すパターン個々に印加する駆動電圧を変化させることで、表示パターンの光拡散度を変化させる。このことで、対応エリアが、例えば、複数のエリアのうち選択され且つ合焦している焦点検出エリアか、選択され且つ被写体像に合焦していない焦点検出エリアか、選択されていない焦点検出エリアかの３段階の状態表示を可能としている。
【特許文献１】特開平１１−２３７６５９号公報
【特許文献２】特開２０００−７５３９３号公報
【発明の開示】
【発明が解決しようとする課題】
【０００５】
しかしながら、特許文献１は、スーパーインポーズ表示を達成するための主に光学的な構成に関しての記載に留まっており、特に、オートフォーカスの焦点検出領域などの測定領域選択時の表示識別に関したものではない。
【０００６】
また、特許文献２に記載の装置は、測定エリアを表す表示パターンの駆動電圧を個々に変化させる構成であることから、表示パターンの数、つまり焦点検出などの測定のエリアの数が多くなると、制御端子の数についても同じ数だけ増加してしまう。よって、電気回路や実装構成が複雑になることが避けられず、また場合によっては、表示可能な測定エリアの数に限りがあることになり得る。
【課題を解決するための手段】
【０００７】
上記課題に鑑み、本発明の撮像機器の測定領域情報表示装置は次の特徴を有する。この情報表示装置は、被写体像に重ね合せて複数の測定領域を表示する透過型の液晶表示装置と、測定領域選択モード変更手段と、測定領域移動指示部材と、を備える。測定領域選択モード変更手段は、前記複数の測定領域の内、特定の測定領域を移動指示する操作が可能なモードと不可能なモードとの間で切換えを行う。測定領域移動指示部材は、特定の測定領域を移動指示する操作が可能な測定領域選択モード変更手段の切換えによるモード時に、選択された特定の測定領域を移動指示する。また、液晶表示装置の複数の測定領域を示すセグメントの内、選択された特定の測定領域のセグメントを、共通の駆動電圧が印加された第１の状態とする。他方、前記選択された特定の測定領域以外の測定領域のセグメントを、前記共通の駆動電圧が印加されない第２の状態とする。更に、特定の測定領域の移動指示が不可能な測定領域選択モード変更手段の切換えによるモード時の液晶表示装置の前記共通の駆動電圧に対し、特定の測定領域の移動指示が可能なモード時には液晶表示装置の前記共通の駆動電圧を高くする。
【発明の効果】
【０００８】
本発明によれば、焦点検出領域などの測定領域を表す液晶表示装置の複数のセグメントの少なくとも一部のグループについて駆動電圧を共通とするので、測定エリアの数が多くなっても、電気回路や実装構成の複雑化を避けることができる。また、こうした比較的簡単な構成で、共通の駆動電圧の値を制御すると共に印加状態にするか非印加状態にするかによって、セグメントの表示状態を変化させることができる。これにより、複数の測定領域のセグメントのうち撮影者によって選択された特定の測定領域セグメントか、他の選択可能な測定領域セグメントか、等を識別することができる撮像機器の測定領域情報表示装置、ファインダ装置などを実現することができる。
【発明を実施するための最良の形態】
【０００９】
以下、本発明の撮像機器の測定領域情報表示装置の実施形態について説明する。本発明の装置において重要なことは、次のことである。測定領域を示す複数のセグメントの少なくとも一部のグループについて駆動電圧を共通とし、共通の駆動電圧の値を制御すると共に印加状態にするか非印加状態にするかによって、セグメントの表示状態を識別可能に変化可能とすることである。これにより、比較的簡単な構成で、複数の測定領域のセグメントが、撮影者によって選択された特定の測定領域セグメントか、他の選択可能な測定領域セグメントか、等を識別することができる情報表示装置を実現できる様になる。
【００１０】
上記考え方に基づき、本発明の情報表示装置の基本的な実施形態は、次の様な構成を有する。情報表示装置は、所定面などに形成される被写体像に重ね合せて複数の測定領域を表示する透過型の液晶表示装置と、測定領域選択モード変更手段と、測定領域移動指示部材と、を備える。測定領域選択モード変更手段は、前記複数の測定領域の内、特定の測定領域を移動指示する操作が可能なモードと不可能なモードとの間で切換えを行うためのものである。測定領域移動指示部材は、特定の測定領域を移動指示する操作が可能な測定領域選択モード変更手段の切換えによるモード時に、選択された特定の測定領域を移動指示するためのものである。こうした構成で、液晶表示装置の複数の測定領域を示すセグメントの内、選択された特定の測定領域のセグメントを、スイッチ手段などで共通の駆動電圧が印加された第１の状態とできる様にする。他方、前記選択された特定の測定領域以外の測定領域のセグメントを、スイッチ手段などで前記共通の駆動電圧が印加されない第２の状態とできる様にする。更に、特定の測定領域の移動指示が不可能な測定領域選択モード変更手段の切換えによるモード時の液晶表示装置の前記共通の駆動電圧に対し、特定の測定領域の移動指示が可能なモード時には液晶表示装置の前記共通の駆動電圧を高くできる様にする。第１の状態は、後述の実施例では点灯状態とも言う。また、第２の状態は非点灯状態とも言う。
【００１１】
前記基本的な実施形態において、以下に述べる様なより具体的な実施形態が可能である。一眼レフカメラなどの撮像機器の測定領域情報表示装置は、フォーカシングスクリーンと、ＬＥＤなどの発光素子と、正立像形成部材と、反射面と、を備えることができる（後述の第１実施例参照）。フォーカシングスクリーンは、撮影レンズからの被写体像を観察するために、例えばミラーで略直角に反射された撮影光束の少なくとも一部が結像される予定結像面に配置される。発光素子は、前記液晶表示装置にバックライトを供給する様にその近傍（例えばカメラにおける前方）に配置される。ペンタダハプリズムなどの正立像形成部材は、フォーカシングスクリーンの上部（撮影光束の光路における上方）に配置される。反射面は、正立像形成部材よりも後方（撮影光束の光路における後方）の接眼光学部材の一部に設けられる。こうして、前記発光素子からの光束を、前記液晶表示装置を介して前記反射面に投影することで、前記液晶表示装置の複数の測定領域を示すセグメントを、前記フォーカシングスクリーン上に結像された被写体像に重ね合せて、表示する。
【００１２】
また、前記液晶表示装置の測定領域を表示する表示部には、前記複数の測定領域として、第１の複数の測定領域と、前記第１の複数の測定領域とは異なる第２の複数の測定領域とを備えることができる。そして、前記第１の複数の測定領域を示す複数のセグメントと、前記第２の複数の測定領域を示す複数のセグメントとは、夫々、独立に共通の駆動電圧の印加が可能である様に構成する（後述の第２実施例参照）。
【００１３】
後述の実施例では、液晶表示装置の測定領域は焦点検出領域であるが、測定領域を測光センサーにおける測光領域として働かせることもできる。この場合も、前述した様に特定の測光領域が選択されたり移動されたりし、選択された特定の測光領域において被写体像の測光が行われ、これに基づいて絞りなどが制御されることになる。こうした制御は、後述するＣＰＵなどの制御手段により行われる。
【実施例】
【００１４】
（第１実施例）
図１には、本発明の第１実施例である一眼レフカメラの概略構成を示している。この図において、１はカメラ本体であり、２はカメラ本体に装着された撮影レンズである。図１では、撮影レンズ２は、便宜上、合焦レンズ３と変倍レンズ４の２枚のレンズで構成されているかの様に示したが、実際は更に多数のレンズから構成されている。
【００１５】
５は主ミラーである。主ミラー５は、ファインダ観察時には撮影光路内に斜設されて撮影レンズ２から入射した光束の一部を反射して光学ファインダ系に導き、撮影時には撮影光路外に退避する。６はサブミラーであり、ファインダ観察時に主ミラー５を透過した光束をカメラ本体１の下方へ向けて反射する。
【００１６】
７はシャッター、８は撮影画像を記録するための感光部材である。感光部材８は、銀塩フイルム若しくはＣＣＤやＭＯＳ型等の固体撮像素子若しくはビディコン等の撮像管により構成される。以下の説明では、感光部材８が固体撮像素子であるものとする。
【００１７】
９は位相差方式の焦点検出装置である。焦点検出装置９は、撮影レンズ２の結像面近傍に配置されたフイールドレンズ９ａ、反射ミラー９ｂ、９ｃ、２次結像レンズ９ｅ、絞り９ｄ、及び複数のＣＣＤからなるラインセンサー９ｆ等から構成される。焦点検出装置９は、後述するファインダ視野内の１９個の各焦点検出領域に対応し、被写界の複数の焦点検出領域において焦点調節状態の検出を行う。
【００１８】
１０は、撮影レンズ２の予定結像面に配置されたピント板である。１１はコンデンサレンズで、撮影レンズ２からの光束を有効に接眼レンズ１６に導くためのものである。１３は、ピント板１０及びコンデンサレンズ１１を通過した光束の光路を折り曲げて接眼系に導くペンタダハプリズムである。コンデンサレンズ１１とペンタダハプリズム１３との間には、ファインダ視野領域を規定するための視野マスク１２が配置されている。
【００１９】
ペンタダハプリズム１３の射出面には、ペンタダハプリズム１３から射出した光束の光路を変更するためのプリズム１４、１５が接着固定されている。プリズム１４の面１４ａ、１４ｂには、例えば可視光を透過して赤外光を反射するダイクロイック特性を有するコーティングが施されており、これにより、後述するスーパーインポーズ表示のための赤外光が撮影者の眼球１７に導かれる。プリズム１５の後方には接眼レンズ１６が配置されており、ピント板１０に結像した被写体像の光束が、この接眼レンズ１６を通って撮影者の眼球１７に達し、撮影者により被写体像が観察される。
【００２０】
１８、１９は、夫々、ファインダ視野（撮影画面）内の被写体輝度を測定するための結像レンズと測光センサーである。結像レンズ１８は、ペンタダハプリズム１３内の反射光路及びプリズム１４を介してピント板１０と測光センサー１９とを共役な結像関係に位置付けている。
【００２１】
２０は、明るい被写体の中でも視認できる赤外光を発する高輝度ＬＥＤであり、２１は集光レンズである。集光レンズ２１は、ＬＥＤ２０と撮影者の眼球（瞳孔）１７とを共役な結像関係にして、ＬＥＤ２０からの光を効率良く観察者の眼球１７へ入射させるコンデンサレンズの働きをする。
【００２２】
２２は、電界効果型のツイステッドネマティックモード（Twisted
Nematic mode）を利用しているＴＮ液晶表示ユニット（以下、スーパーインポーズ用ＬＣＤという）である。スーパーインポーズ用ＬＣＤ２２は、後述する１９個の焦点検出領域をファインダ視野内に形成するため、複数のセグメント（表示部）によりパターン化されて、選択されたセグメント領域のみを光透過可能とする。
【００２３】
ＬＥＤ２０から発せられた光束は、集光レンズ２１及びスーパーインポーズ用ＬＣＤ２２の透過セグメントを通過し、第１の投光レンズ２３、ミラー２４及び第２の投光レンズ２５を通過してプリズム１４に入射する。プリズム１４に入射した光は、ダイクロイック面１４ａで反射し、ダイクロイック面１４ｂに達する。ここで、ピント板１０に結像された被写体像と透過セグメントのパターンとが重なり、プリズム１５及び接眼レンズ１６を通して観察者の眼球１７に達し、観察される。
【００２４】
２７は、ファインダ視野外に、絞り値やシャッター秒時等の撮影情報を表示するためのファインダ内ＬＣＤであり、スーパーインポーズ用ＬＣＤ２２と同様にＴＮ液晶表示ユニットから構成されている。このファインダ内ＬＣＤ２７は、照明用ＬＥＤ２６からの光によって照明され、ＬＣＤ２７を透過した光が三角プリズム２８によりファインダ内に導かれることにより、撮影情報がファインダ視野外に表示される。これによって、撮影者は設定されている撮影情報を確認することができる。
【００２５】
２９は、撮影レンズ２内に設けられた絞りであり、３０は、後述する絞り制御回路１０９を含む絞り駆動装置である。３１はレンズ駆動用モーターであり、３２は駆動ギヤ等からなるレンズ駆動機構である。３３はフォトカプラーであり、レンズ駆動機構３２に連動するパルス板３４の回転を検知してレンズ焦点調節回路１１０（図２参照）にレンズ駆動情報を伝える。焦点調節回路１１０は、このレンズ駆動情報と演算された合焦位置までのレンズ駆動量情報とに基づいてレンズ駆動用モーター３１を駆動し、合焦レンズ３を合焦位置に移動させる。
【００２６】
３５は、カメラ本体１と撮影レンズ２との間の通信インターフェイスとなるマウント接点である。３６は、合焦レンズ３をマニュアル操作によって駆動するためのマニュアルフォーカスリングである。撮影者が自ら焦点（ピント）調節を行う際にこのリング３６を回動操作することで、合焦レンズ３を合焦位置に直接移動させることができる。
【００２７】
３７は、撮像素子８によって得られた画像データを表示するためのＴＦＴ液晶からなるモニター用ＬＣＤである。
【００２８】
図２には、上記一眼レフカメラに内蔵された電気回路の構成を示している。この図において、図１で説明した構成要素には図１と同符号を付している。
【００２９】
カメラ本体１には、マイクロコンピュータを構成する中央演算処理装置（以下、ＣＰＵという）１００が内蔵されている。このＣＰＵ１００には、デジタル回路１０１、測光回路１０２、自動焦点検出回路１０３、信号入力回路１０４、ＬＣＤ駆動回路１０５、ＬＥＤ駆動回路１０６、シャッター制御回路１０７、モーター制御回路１０８、絞り制御回路１０９及び焦点調節回路１１０が接続されている。ＣＰＵ１００に付随したＥＥＰＲＯＭ１００ａは、各種データを記憶する記憶機能を有している。
【００３０】
デジタル回路１０１は、撮像素子駆動回路１０１ａと、ＲＡＭ１０１ｂと、ＲＡＭ１０１ｂに記憶された撮像信号を所定の画像データに変換する信号処理回路１０１ｃと、画像データを記憶するためのフラッシュメモリ１０１ｄで構成される。撮像素子駆動回路１０１ａは、撮像素子８を駆動し、撮像素子８からの撮像信号の読み出しを行う。ＲＡＭ１０１ｂは、読み出した撮像信号を記憶する。
【００３１】
測光回路１０２は、測光センサー１９からの被写界の明るさに対応した輝度信号出力を増幅後、対数圧縮、Ａ／Ｄ変換し、各センサー１９からの被写界輝度情報としてＣＰＵ１００に送る。測光センサー１９は、各焦点検出領域を包含する様にファインダ視野を６３個に分割するよう設定された各測光領域に対応した６３個のフォトダイオードＳＰＣ１〜ＳＰＣ６３から構成されている。
【００３２】
自動焦点検出回路１０３は、１９個の焦点検出領域に対応した１９組のラインセンサーＣＣＤ−１〜ＣＣＤ−１９により構成されるＣＣＤラインセンサーユニット９ｆから得た電圧をＡ／Ｄ変換し、ＣＰＵ１００に送る。
【００３３】
ＳＷ１は、不図示のレリーズボタンの第１ストローク操作でＯＮし、カメラの測光、焦点検出動作等を開始させるためのスイッチである。ＳＷ２は、レリーズボタンの第２ストローク操作でＯＮし、レリーズ動作を開始させるためのスイッチである。
【００３４】
ＳＷ−ＤＩＡＬ１は、撮影に必要な各種情報（例えば、シャッタースピード、絞り値等）を選択するためのスイッチである。ＳＷ−ＤＩＡＬ２も、各種撮影モードの設定に用いられるスイッチであり、電子ダイヤルであるＳＷ−ＤＩＡＬ１の動作を補うためのサブ電子ダイヤルである。
【００３５】
ＳＷ−Ｍは、カメラを作動状態とするためのメインスイッチである。ＳＷ−ＡＦ／ＭＦは、焦点調節、すなわち撮影レンズ２のピント合わせを自動で行うか手動（マニュアル）で行うかを選択するためのスイッチであり、本実施例では、撮影レンズ２に設けられている。ＳＷ−ＡＦＳは、任意焦点検出領域選択モードと自動焦点検出領域選択モードとを切り換えるためのスイッチである。任意焦点検出領域選択モードでは、このカメラにおいてオートフォーカスの焦点検出領域として設定されている１９箇所の焦点検出領域のうち、撮影者自身がマニュアル（手動）で特定の焦点検出領域を選択を行うことが可能である。自動焦点検出領域選択モードでは、１９箇所の焦点検出領域のうち、カメラ内の所定のアルゴリズムにて焦点検出動作を行う領域の決定を自動で行う。上述した自動焦点検出領域選択モードでは所定のアルゴリズムによって１つ又は１まとまりの焦点検出領域が自動選択され、任意焦点検出領域選択モードにおいても特定の焦点検出領域は１つ又は１まとまりとして焦点検出領域が任意に選択される。
【００３６】
ＳＷ−Ｔ、ＳＷ−Ｂ、ＳＷ−Ｌ、ＳＷ−Ｒは、上記したＳＷ−ＡＦＳが任意焦点検出領域選択モードであるときに、特定の焦点検出領域の移動方向を指示するための焦点検出領域移動指示スイッチ（測定領域移動指示部材）である。ＳＷ−Ｔの押し操作で上方向、ＳＷ−Ｂの押し操作で下方向、ＳＷ−Ｌの押し操作で左方向、ＳＷ−Ｒの押し操作で下方向にそれぞれ焦点検出領域を移動することが可能となる。焦点検出領域の確定は所定タイマーの終了、又は、他のスイッチ操作を行うことにて行われる。
【００３７】
また本実施例では、焦点検出領域移動指示スイッチとして、専用のスイッチを設けて説明をしたが、例えば、ＳＷ−ＤＩＡＬ１の電子ダイヤルや、ＳＷ−ＤＩＡＬ２のサブ電子ダイヤルの操作によっても同様の機能を割り当てることは可能である。
【００３８】
ＳＷ−ＡＦＤは、カメラが測光や焦点検出動作が可能な状態時において、上記した任意焦点検出領域選択モードにて一度は確定された焦点検出領域を、更に選択移動する操作が可能なモードと、不可能なモードとを切換えるスイッチである。この焦点検出領域選択モード変更スイッチが、測定領域選択モード変更手段である。この焦点検出領域選択モード変更スイッチがオン状態であれば、カメラの測光や焦点検出動作が可能な状態時であり、次の様になる。即ち、上記したＳＷ−Ｔ、ＳＷ−Ｂ、ＳＷ−Ｌ、ＳＷ−Ｒ、又は、ＳＷ−ＤＩＡＬ１、ＳＷ−ＤＩＡＬ２の操作に連動し、焦点検出領域の移動方向を指示するための焦点検出領域移動指示スイッチの操作が有効となる。
【００３９】
これら各スイッチからの信号は信号入力回路１０４に入力され、データーバスによってＣＰＵ１００に送信される。なお、ＳＷ−ＤＩＡＬ１、ＳＷ−ＤＩＡＬ２からの各信号は、信号入力回路１０４内のアップダウンカウンターに入力される。そして、アップダウンカウンターにて、これらスイッチからの信号、すなわち電子ダイヤルの回転クリック量がカウントされ、カウント値がＣＰＵ１００に送信される。
【００４０】
ＬＣＤ駆動回路１０５は、スーパーインポーズ用ＬＣＤ２２、ファインダ内ＬＣＤ２７、モニター用ＬＣＤ３７を表示駆動させるためのＬＣＤ駆動回路であり、ＣＰＵ１００からの信号に従い各ＬＣＤの表示内容を制御する。
【００４１】
ＬＥＤ駆動回路１０６は、スーパーインポーズ用ＬＥＤ２０及びファインダ内ＬＥＤ２６を点灯制御する。シャッター制御回路１０７は、シャッターチャージ状態においてマグネットＭＧ−１に通電して先幕を走行させ、その後マグネットＭＧ−２に通電して後幕を走行させる。これにより、撮像素子８に所定光量を蓄積させる。モーター制御回路１０８は、主ミラー５のチャージを行うモーターＭ１と、シャッター７のチャージを行うモーターＭ２とを制御する。これらシャッター制御回路１０７及びモーター制御回路１０８によってカメラにおける一連のレリーズシーケンスが動作する。
【００４２】
絞り制御回路１０９及び焦点調節回路１１０は、図１で示した様に、撮影レンズ２内に配置され、マウント接点３５を介してＣＰＵ１００との信号の伝達を行う。
【００４３】
次に、図３は、本実施例において光学ファインダを覗いた場合に見えるファインダ視野内の構成を示している。この図では、スーパーインポーズ用ＬＣＤ２２が全点灯した状態をしている。この全点灯状態では、液晶表示装置の複数の測定領域を示すセグメント（例えば、所定形状の透明電極で構成される）の全てが、オン状態の各スイッチ手段を介してＬＣＤ駆動回路１０５の共通の駆動電圧源に導通された点灯状態にある。また、実際には、ファインダ視野の周辺部には、各種撮影に関する情報表示のためのファインダ内ＬＣＤ２７による表示も存在するが、図３においては省略している。
【００４４】
図３において、外側の枠は視野マスク１２によって形成されるものである。１００１と１００２は、いずれも、ピント板１０の予定結像面であるマット面上に微細なプリズム形状を一体的に形成することで常時ピント板上に示される刻線である。１００１はオートフォーカスの検出が可能な範囲を示し、１００２は最小の測光可能範囲を示したものである。２２０１〜２２１９は、スーパーインポーズ用ＬＣＤ２２によりスーパーインポーズ表示される１９組の表示指標（セグメント）であり、１９個の焦点検出領域に対応する様に配置されている。
【００４５】
図４は、スーパーインポーズ用ＬＣＤ２２等に用いる液晶表示装置のセグメントの濃度とバイアス電圧との関係を示す説明図である。一般に、点灯状態のセグメントＳｄの濃度と、非点灯（消灯）状態のセグメントＳpの濃度と、液晶表示体を駆動するバイアス電圧との関係は、図４に示す様な関係にある。点灯状態では、前述した様に、例えば、共通の駆動電圧源からのバイアス電圧がセグメントに印加され、これに対応する液晶の部分が、光を充分透過する光透過状態にある。非点灯状態では、例えば、共通の駆動電圧源からのバイアス電圧がオフ状態のスイッチ手段によりセグメントに印加されず、これに対応する液晶の部分が、光をあまり透過しない非透過状態にある。スイッチ手段は、各セグメントに対して、トランジスタスイッチなどで設けられる。
【００４６】
通常、点灯セグメントＳｄの濃度を高めるには液晶表示装置の駆動電圧値を高めることで可能であるが、同時に非点灯セグメントＳｐにも僅かながらの洩れ電圧が発生してしまうため、実際には非点灯状態のセグメントも薄く表示が成されてしまう。従って、通常の液晶の駆動電圧値については、非点灯状態のセグメントＳｐの濃度は低い電圧ＡのｐＡ点を非点灯セグメントとして設定し、点灯状態のセグメントＳｄの濃度は同じ電圧ＡのｄＡ点に設定されてしまう。
【００４７】
また、液晶表示装置の駆動電圧値を図４中の電圧Ｂとした場合は、電圧Ａよりも高い駆動電圧値となるので、点灯状態のセグメントはｄＢ点となって、より点灯セグメントの表示濃度は濃くなる。そして、非点灯状態のセグメントはｐＢ点となって、表示濃度はｄＢよりは低いものの前述のｐＡ点よりも濃い表示となる。つまり、非点灯状態のセグメントであっても、その濃度は、電圧Ｂの値を所定の値とすることによって制御することが可能である。
【００４８】
本実施例においては、スーパーインポーズ用ＬＣＤ２２の背面には高輝度赤外光ＬＥＤ２０を配置する。そして更に、スーパーインポーズ用ＬＣＤ２２の液晶表示板の表面には、前述した焦点検出領域を示す四角形のセグメント以外の部分を遮光するために、例えばレジスト方式の印刷や蒸着などによって不図示のマスキング処理を行う。この構成によって、曲線Ｓｄ、Ｓｐに印加される電圧が高くなれば、各セグメント部は透過率が高くなり、ＬＥＤ２０からの光束はより多くファインダ光学系へ導かれる。各セグメント部は、例えば、周りが上記の様な遮光部分となった透明電極で形成され、この透明電極と共通透明電極との間に挟まれた液晶層の部分が、セグメント部への共通のバイアス電圧のオン・オフに従って透過状態・非透過状態となる。
【００４９】
つまり、図４においてグラフの縦軸をセグメント濃度として説明をしたが、本実施例では、スーパーインポーズ用ＬＣＤ２２の各焦点検出領域を示す四角形のセグメント部の透過率が、図４におけるセグメント濃度と同等の意味を持つ。
【００５０】
図５は、図４にて説明したスーパーインポーズ用ＬＣＤ２２に用いる液晶表示装置の駆動電圧を変更した場合の表示の一例を示す。スーパーインポーズ用ＬＣＤ２２に用いる液晶表示装置の駆動電圧として、図４で示した電圧Ａにて表示を行った場合を図５（ａ）に示し、電圧Ｂにて表示を行った場合を図５（ｂ）に示す。
【００５１】
図５（ａ）では、スーパーインポーズ用ＬＣＤ２２に用いる液晶表示装置の駆動電圧は、前述した電圧Ａによって行われている。よって、特定の焦点検出領域として選択されている点灯セグメント２２０８だけが、ファインダ内のオートフォーカス検出可能範囲を示す刻線１００１の内側の左付近に濃く表示される。また、特定の焦点検出領域として選択されていないその他の焦点検出領域として割り当てられている非点灯セグメント２２０１〜２２０７、２２０９〜２２１９は、ファインダ内では殆ど視認することができない。
【００５２】
一方、図５（ｂ）では、スーパーインポーズ用ＬＣＤ２２に用いる液晶表示装置の駆動電圧は、前述した電圧Ｂによって行われている。この場合、特定の焦点検出領域として選択されている焦点検出領域を示す点灯セグメント２２０８は、ファインダ内のオートフォーカス検出可能範囲を示す刻線１００１の内側の左付近に鮮明に表示される。また、特定の焦点検出領域として選択されていないその他の焦点検出領域として割り当てられている非点灯セグメント２２０１〜２２０７、２２０９〜２２１９についても、点灯セグメント２２０８よりも薄い状態でファインダ内に表示される。
【００５３】
図６は、以上の様に構成されたカメラ全体（主としてＣＰＵ１００）の動作フローチャートを示している。以下、カメラの動作について、このフローチャートと、図１、図２、図７〜図９とを併せ用いて説明する。なお、図６のフローチャートでは、「焦点検出」を「側距」という表現で示す所もある。
【００５４】
まず、撮影者が電子ダイヤルをＳＷ−ＭがＯＮになる位置に回転させると、カメラ電源がＯＮし（＃３００）、ＣＰＵ１００はＳＷ１がＯＮされるまで待機する（＃３０１）。
【００５５】
次に、ＣＰＵ１００は、ＳＷ−ＡＦＳが自動焦点検出領域選択モードか任意焦点検出領域選択モードかを確認し（＃３０２）、自動焦点検出領域選択モードのときは、所定のアルゴリズムによって所定の焦点検出領域を選択する（＃３０３）。ここでの、焦点検出領域の自動選択のアルゴリズムとしては幾つかの方法が考えられるが、いわゆる多点ＡＦカメラにおいて採用されることが多い、中央の焦点検出領域に重み付けを置いた近点優先アルゴリズムが有効である。
【００５６】
また、この段階では（＃３０３）、ファインダ視野内の焦点検出領域の何処に合焦するかは特定できないため、このモード（自動焦点検出領域選択モード）においては、図７（ａ）に示した様に焦点検出領域は何も点灯されない状態である。また、液晶スーパーインポーズ用ＬＣＤ２２の駆動電圧は、前述した電圧Ａによって行う表示形態がこれ以降の動作では維持される。
【００５７】
その後、ここで選択された焦点検出領域での焦点検出動作を自動焦点検出回路１０３に行わせる（＃３０８）。
【００５８】
一方、＃３０２において任意焦点検出領域選択モードである場合には、選択された焦点検出領域に対応する表示指標がファインダ視野内にスーパーインポーズ表示される（＃３０４）。ここでのファインダ視野内の表示は図７（ｂ）に示した様に、液晶スーパーインポーズ用ＬＣＤ２２の駆動電圧は、前述した電圧Ｂによって行う表示形態に変更される。例えば、図７（ｂ）では、焦点検出領域２２１０が任意焦点検出領域である点灯セグメントとして選択された状態である。その他の焦点検出領域２２０１〜２２０９、２２１１〜２２１９の１８点は、選択可能な焦点検出領域として非点灯セグメントの状態ではあるものの、薄く焦点検出領域が表示された状態となる。
【００５９】
更に、焦点検出領域移動指示スイッチ（ＳＷ−Ｔ、ＳＷ−Ｂ、ＳＷ−Ｌ、ＳＷ−Ｒ）のいずれかが押されたならば、対応する焦点検出領域のセグメント位置に焦点検出領域の移動を行い表示する（＃３０５）。例えば、焦点検出領域移動指示スイッチＳＷ−Ｌの２回押し操作が行われると、図７（ｃ）に示した様に、焦点検出領域２２０８が任意焦点検出領域である点灯セグメントとして表示される。その他の焦点検出領域２２０１〜２２０７、２２０９〜２２１９の１８点は、選択可能な焦点検出領域として非点灯セグメントの状態ではあるものの、薄く表示された状態となる。また、液晶スーパーインポーズ用ＬＣＤ２２の駆動電圧は、前述した電圧Ｂによって行う表示形態がこれ以降の動作では維持される。
【００６０】
なお、＃３０５の焦点検出領域移動指示は、次の焦点検出領域選択モードの状態判別（＃３０６）がＯＮ状態であり、且つＳＷ１がＯＮ中であるＡＮＤ条件により、割り込み操作を行うことが可能である。
【００６１】
次に、焦点検出領域選択モード変更スイッチ（ＳＷ−ＡＦＤ）の状態を判別する（＃３０６）。本実施例では物理的なスイッチの状態判別として説明をしたが、例えばＣＰＵ１００に付随したＥＥＰＲＯＭ１００ａに記憶されるパラメータ値にて変更するものであってもよい。
【００６２】
焦点検出領域選択モード変更スイッチがＯＮ状態である場合には、＃３０４にて説明した表示形態を維持したまま、選択された焦点検出領域での焦点検出動作を自動焦点検出回路１０３に行わせる（＃３０８）。また、焦点検出領域選択モード変更スイッチがＯＦＦ状態である場合には、＃３０６にて選択された焦点検出領域に対応する表示指標のみが点灯セグメントとしてファインダ視野内にスーパーインポーズ表示される（＃３０７）。このとき、液晶スーパーインポーズ用ＬＣＤ２２の駆動電圧は、前述した電圧Ａによって行う表示形態に変更される。よって、ここでのファインダ視野内の表示は、図７（ｄ）に示した様に、焦点検出領域２２０８が任意焦点検出領域の点灯セグメントとして表示された状態である。その他の焦点検出領域２２０１〜２２０９、２２１１〜２２１９の１８点は、選択不可能な焦点検出領域として非点灯セグメントの状態として視認できなくなる。これ以降の動作では、この表示形態（表示形態３）が維持される。
【００６３】
以降の表示形態は、前記した焦点検出領域選択モード変更スイッチ（ＳＷ−ＡＦＤ）の状態がＯＮ状態に変更されるまでは、前述の表示状態を維持する。
【００６４】
こうして、選択された焦点検出領域での焦点検出動作を自動焦点検出回路１０３に行わせる（＃３０８）。自動焦点検出回路１０３による焦点検出動作が行われると、ＣＰＵ１００は選択された焦点検出領域が焦点検出不能な領域か否かを判定する（＃３０９）。不能であれば、ＣＰＵ１００はＬＣＤ駆動回路１０５に信号を送ってファインダ内ＬＣＤ２７の合焦マーク（不図示）を点滅表示させる。この様にして、焦点検出が不能であることを撮影者に警告し（＃３１０）、ＳＷ１がＯＦＦされるまでこの動作を続ける（＃３１１）。
【００６５】
また、選択された焦点検出領域が焦点検出可能な領域であり、この焦点検出領域での焦点調節状態が合焦でなければ（＃３１２）、ＣＰＵ１００はレンズ焦点調節回路１１０に信号を送って撮影レンズ３を合焦駆動させる（＃３１３）。レンズ駆動後、自動焦点検出回路１０３は再度、焦点検出を行い（＃３０８）、焦点検出領域が合焦しているか否かの判定を行う（＃３１２）。そして、焦点検出領域の合焦が得られると、ＣＰＵ１００はＬＣＤ駆動回路１０５に信号を送ってファインダ内ＬＣＤ２７の合焦マーク（不図示）を点灯させる。
【００６６】
他方、自動焦点検出領域選択モードのときは、図８（ａ）に示した様に、自動選択された焦点検出領域に対応する焦点検出領域（例えば２２０８）を、一瞬高輝度に点灯し、撮影者に合焦であることを知らせる（＃３１４）。任意焦点検出領域選択モードで、且つ焦点検出領域選択モード変更スイッチがＯＮの時は、図８（ｂ）に示した様に、任意焦点検出領域として表示されていた焦点検出領域２２０８が一瞬高輝度に点灯し、撮影者に合焦であることを知らせる（＃３１４）。この一瞬の高輝度点灯は、ＬＥＤ２０の一瞬の高輝度発光で行うことができる。
【００６７】
このとき、前述した＃３０５の焦点検出領域移動指示を割り込み操作として可能としている。よって、その他の焦点検出領域２２０１〜２２０７、２２０９〜２２１９の１８点は、撮影者の焦点検出領域移動指示操作による選択移動可能な焦点検出領域として非点灯セグメントの状態ではあるものの、薄く焦点検出領域が表示された状態となる。また、任意焦点検出領域選択モードで、且つ焦点検出領域選択モード変更スイッチがＯＦＦの時は、図８（ａ）と同様な表示を行う。
【００６８】
次に、合焦状態がファインダ内に表示されたのを撮影者が見て、その焦点検出領域が正しくないと認識してＳＷ１をＯＦＦすると（＃３１５）、引き続きＣＰＵ１００はＳＷ１がＯＮされるまで待機する（＃３０１）。また、撮影者が合焦表示された焦点検出領域を見て、引き続きＳＷ１をＯＮし続けたときは（＃３１５）、ＣＰＵ１００は測光回路１０２に信号を送信して測光を行わせる（＃３１６）。
【００６９】
このとき、本実施例では、合焦した焦点検出領域を含む測光領域（不図示）に重み付けした測光演算を行い、露出値が演算される。そして、この演算結果として、ファインダ内ＬＣＤ２７の絞り値（不図示）を表示する。
【００７０】
次に、ＣＰＵ１００は、ＳＷ２がＯＮされているかどうかを判定し（＃３１７）、ＳＷ２がＯＦＦであれば再びＳＷ１の状態確認を行う（＃３１５）。ＳＷ２がＯＮされているときは、ＣＰＵ１００はシャッター制御回路１０７、モーター制御回路１０８及び絞り駆動回路１０８にそれぞれ信号を送信する。つまり、まず、モーターＭ２に通電し、主ミラー５をアップさせ、絞り２９を絞り込んだ後、マグネットＭＧ１に通電してシャッタ７の先幕を走行させる。絞り値及びシャッタ速度（シャッタ秒時）は、先に演算された露出値と設定された撮像素子８の感度とに基づいて決定される。そして、決定されたシャッタ秒時が経過した後、マグネットＭＧ２に通電し、シャッタ７の後幕を走行させ、露光を終了する。
【００７１】
露光が終了すると、モーターＭ２に再度通電し、感光部材８の駒送りを行い、一連のシャッタレリーズシーケンスを終了する（＃３１８）。その後、ＣＰＵ１００は再びＳＷ１がＯＮされるまで待機する（＃３０１）。
【００７２】
本実施例では、焦点検出動作は位相差検出方式により行われる。以下に、図１及び図９を用いてこの方式を説明する。図１に示す様に、撮影レンズ２から入射した光の一部は主ミラー５を透過し、サブミラー６によって下方に反射される。サブミラー６によって反射された光は、１次ピント面ｐを通り、更にフイールドレンズ９ａ、反射ミラー９ｂ及び絞り９ｄを経て、メガネレンズと呼ばれる２次結像レンズ９ｅに達し、ここで２つの像Ａ、Ｂが分離形成される。
【００７３】
この分離形成された２つの像Ａ、Ｂは、反射ミラー９ｃにて反射され、ラインセンサーユニット９ｆにそれぞれ投影される。ラインセンサーユニット９ｆは、所定ピクセル数の光電変換素子（ラインセンサーＳＰＣ）が所定ピッチで配列されて構成されており、ラインセンサーユニット９ｆに投影された２つの像Ａ、Ｂは光電変換される。これにより、図９に示す出力が得られる。
【００７４】
この出力は、２つの像Ａ、Ｂの光量分布の相対的な位置関係、即ち光量分布のずれ量により異なり、更に光量分布のずれ量は撮影レンズ２の焦点調節状態により異なってくる。例えば、ラインセンサー上の素子の並び方向に、撮影レンズ２の予定結像面（一次ピント面）ｐからの焦点外れ量に応じた横ずれ量となって表れてくる。
【００７５】
図９において、（ａ）は合焦状態における、（ｂ）は前ピン状態における、（ｃ）は後ピン状態におけるラインセンサー上の被写体像の状態をそれぞれ表しており、２つの被写体像の間隔が所定の値になった時、合焦と判定するものである。
【００７６】
以上説明した様に、本実施例によれば、特定の焦点検出領域を選択する操作が不可能なモード時には、選択されている焦点検出領域のセグメントは鮮明に表示されるとともに、その他の選択が不可能な焦点検出領域は表示されない。そのため、被写体を観察する際の目障り感が少ないファインダ視野となる。また、特定の焦点検出領域を選択する操作が可能なモード時には、前記モードよりも液晶表示装置の全体の駆動電圧を高くすることで、選択移動が可能な焦点検出領域が非点灯状態のセグメントであっても液晶表示上には薄く表示される。そのため、選択移動先の焦点検出領域として視認可能となる。これによって、選択移動が可能な焦点検出領域のファインダ上の位置が示されるため、被写体と移動させたい焦点検出領域との相対位置を考慮したフレーミングや、焦点検出領域の選択操作性が向上する。
【００７７】
また、前記した特定の焦点検出領域を選択するモードに応じた表示状態の切換えは、液晶表示装置の全体の駆動電圧を切換える構成である。よって、表示セグメントごとに独立した制御ポートを設けることなく、従来の表示装置に対しても、電気回路や実装規模を大きく変更することなく構成を実現することが可能である。
【００７８】
また更には、前記特定の焦点検出領域を選択するモードに応じてファインダ表示状態が異なるため、焦点検出領域の選択モードが何れの状態になっているかを一目で判別することが可能となる。
【００７９】
また、液晶表示装置の背面に配置した発光素子からファインダ光学系へ導かれる焦点検出領域の状態を表示する光束と、撮影に際し被写体輝度を検出するためのフォーカシングスクリーンから測光センサーへの被写体像の光束とは、異なる。この様に異なる光路によって構成されるので、撮影前に行う被写体の輝度検出時も含め、発光素子を用いた焦点検出領域の状態表示を常時行うことが可能となる。
【００８０】
また、液晶表示装置の焦点検出領域表示部が小型であっても、ファインダ視野内の比較的広い面積の領域に大きく表示することができる。そして、これと同時に、液晶表示装置を含めた焦点検出領域表示部の機構と、フォーカシングスクリーン部の機構とが異なる部品にて構成されるため、フォーカシングスクリーン部の構成が簡略化できる。このことで、ユーザー自身によるフォーカシングスクリーンの交換が可能なカメラを安価に提供することが可能となる。
【００８１】
（第２実施例）
本発明の第２実施例を説明する。図１０は、本発明の第２実施例においてファインダを覗いた場合に見えるファインダ視野内の構成を示している。
【００８２】
図１０（ａ）において、２２０１〜２２１９はスーパーインポーズ用ＬＣＤ２２によりスーパーインポーズ表示される１９組の第１の表示指標群であり、１９個の焦点検出領域に対応する様に配置されている。図１０（ｂ）の２２３０〜２２５５は、同じくスーパーインポーズ用ＬＣＤ２２によりスーパーインポーズ表示される２６組の第２の表示指標群である。本実施例において、図２にて説明したＣＣＤからなるラインセンサー９ｆ等から構成された位相差方式の焦点検出装置９は、４５箇所の焦点検出領域に対応したラインセンサーを備える。即ち、前述したファインダ視野内の第１の表示指標群の１９個と第２の表示指標群の２６個との合計４５箇所の焦点検出領域に対応したラインセンサーを備え、個々の焦点検出に対応した焦点検出領域において焦点調節状態の検出を行う。
【００８３】
図１０の説明では、第１の表示指標群と第２の表示指標群とを別々の図面にて説明したが、実際には同一の液晶表示装置にて構成されるものである。また、本実施例において、前述の第１の表示指標群セグメント２２０１〜２２１９を駆動する電圧値と、第２の表示指標群セグメント２２３０〜２２５５を駆動する電圧値とは、ＬＣＤ駆動回路１０５内の回路上、独立して制御可能な構成としている。即ち、それぞれの表示指標群について、前述した様に電圧Ａと電圧Ｂの間で切り換えられるが、これらの電圧値は独立に制御可能であるので、同じにもできるし異ならせることもできる。
【００８４】
図１１は、上記構成を有する第２実施例のカメラ全体（主としてＣＰＵ１００）の動作フローチャートを示す。以下、カメラの動作について、このフローチャートと、図１、図２、図１２〜図１３を併せ用いて説明する。
【００８５】
まず、撮影者が電子ダイヤルをＳＷ−ＭがＯＮになる位置に回転させると、カメラ電源がＯＮし（＃４００）、ＣＰＵ１００はＳＷ１がＯＮされるまで待機する（＃４０１）。
【００８６】
次に、前述したファインダ視野内の第１の表示指標群の１９個の焦点検出領域と第２の表示指標群の２６個の焦点検出領域とを加えた４５個の焦点検出エリアで焦点検出するか選択する（＃４０１ａ）。ここでの選択は、例えばＣＰＵ１００に付随したＥＥＰＲＯＭ１００ａに記憶されるパラメータ値にて変更するものであってもよい。
【００８７】
焦点検出エリアが１９点のときは、第１の表示指標群セグメント２２０１〜２２１９のみを駆動する（＃４０１ｂ）。一方、焦点検出エリアが４５点のときは、第１の表示指標群セグメント２２０１〜２２１９と第２の表示指標群セグメント２２３０〜２２５５の両方を駆動する（＃４０１ｃ）。
【００８８】
次に、ＣＰＵ１００は、ＳＷ−ＡＦＳが自動焦点検出領域選択モードか任意焦点検出領域選択モードかを確認し（＃４０２）、自動焦点検出領域選択モードのときは、所定のアルゴリズムによって所定の焦点検出領域を選択する（＃４０３）。ここでも、焦点検出領域の自動選択のアルゴリズムとしては幾つかの方法が考えられるが、いわゆる多点ＡＦカメラにおいて採用されることが多い、中央の焦点検出領域に重み付けを置いた近点優先アルゴリズムが有効である。
【００８９】
また、この段階では（＃４０３）、ファインダ視野内の焦点検出領域の何処に合焦するかは特定できないため、このモード（自動焦点検出領域選択モード）においては、図１２（ａ）に示した様に焦点検出領域は何れも点灯されない状態（表示形態１）である。また、液晶スーパーインポーズ用ＬＣＤ２２の駆動電圧は、前述した電圧Ａによって行われる表示形態がこれ以降の動作では維持される。
【００９０】
その後、ここで選択された焦点検出領域での焦点検出動作を自動焦点検出回路１０３に行わせる（＃４０８）。
【００９１】
一方、＃４０２において任意焦点検出領域選択モードである場合には、選択された焦点検出領域に対応する表示指標がファインダ視野内にスーパーインポーズ表示（表示形態２）される（＃４０４）。
【００９２】
ここで、＃４０１ｂの１９点の焦点検出エリアが選択されているときは、ファインダ視野内の表示は図１２（ｂ）に示した様になる。即ち、液晶スーパーインポーズ用ＬＣＤ２２の第１の表示指標群セグメント２２０１〜２２１９の駆動電圧は、前述した電圧Ｂによって行う表示形態に変更される。
【００９３】
一方、＃４０１ｃの４５点の焦点検出エリアが選択されているときは、ファインダ視野内の表示は図１２（ｃ）に示した様になる。即ち、液晶スーパーインポーズ用ＬＣＤ２２の第１の表示指標群セグメント２２０１〜２２１９及び第２の表示指標群セグメント２２３０〜２２５５の駆動電圧は、前述した電圧Ｂによって行う表示形態に変更される。
【００９４】
更に、焦点検出領域移動指示スイッチ（ＳＷ−Ｔ、ＳＷ−Ｂ、ＳＷ−Ｌ、ＳＷ−Ｒ）のいずれかが押されたならば、対応する焦点検出領域のセグメント位置に焦点検出領域の移動を行い表示する（＃４０５）。
【００９５】
＃４０１ｂの１９点の焦点検出エリアが選択されているときは、例えば、焦点検出領域移動指示スイッチＳＷ−Ｌの２回押し操作が行われると、図１２（ｄ）に示す様に、焦点検出領域２２０８が任意焦点検出領域の点灯セグメントとして表示される。その他の焦点検出領域２２０１〜２２０７、２２０９〜２２１９の１８点は、選択可能な焦点検出領域として非点灯セグメントの状態ではあるものの薄く焦点検出領域が表示された状態となる。
【００９６】
一方、＃４０１ｃの４５点の焦点検出エリアが選択されているときは、次の様になる。例えば、焦点検出領域移動指示スイッチＳＷ−Ｌの５回押し操作が行われると、図１２（ｅ）に示した様に、焦点検出領域２２０８が任意焦点検出領域である点灯セグメントとして表示される。その他の焦点検出領域２２０１〜２２０７、２２０９〜２２１９の１８点と２２３０〜２２５５の２６点は、選択可能な焦点検出領域として非点灯セグメントの状態ではあるものの薄く焦点検出領域が表示された状態となる。
【００９７】
また、液晶スーパーインポーズ用ＬＣＤ２２の駆動電圧は、対応した表示セグメント群が前述した電圧Ｂによって行われる表示形態がこれ以降の動作では維持される。
【００９８】
なお、＃４０５の焦点検出領域移動指示は、次の焦点検出領域選択モードの状態判別（＃４０６）がＯＮ状態であり、且つＳＷ１がＯＮ中であるＡＮＤ条件により、割り込み操作を行うことが可能である。
【００９９】
次に、焦点検出領域選択モード変更スイッチ（ＳＷ−ＡＦＤ）の状態を判別する（＃４０６）。本実施例の説明でも物理的なスイッチの状態判別としたが、例えばＣＰＵ１００に付随したＥＥＰＲＯＭ１００ａに記憶されるパラメータ値にて変更するものであってもよい。焦点検出領域選択モード変更スイッチがＯＮ状態である場合には、＃４０４にて説明した表示形態を維持したまま、選択された焦点検出領域での焦点検出動作を自動焦点検出回路１０３に行わせる（＃４０８）。
【０１００】
また、焦点検出領域選択モード変更スイッチがＯＦＦ状態である場合には、＃４０６にて選択された焦点検出領域に対応する表示指標のみが点灯セグメントとしてファインダ視野内にスーパーインポーズ表示（表示形態３）される（＃４０７）。
【０１０１】
このとき、液晶スーパーインポーズ用ＬＣＤ２２の駆動電圧は、対応した表示セグメント群について前述した電圧Ａによって行う表示形態に変更されるので、ここでのファインダ視野内の表示は図１２（ｆ）に示した様になる。即ち、焦点検出領域２２０８が任意焦点検出領域の点灯セグメントとして表示された状態である。
【０１０２】
他方、その他の焦点検出領域２２０１〜２２０９、２２１１〜２２１９の１８点又は２２３０〜２２５５の２６点を加えた４４点は、選択不可能な焦点検出領域として非点灯セグメントの状態として視認できなくなる。これ以降の動作ではこの表示形態が維持される。
【０１０３】
以降の表示形態は、前記した焦点検出領域選択モード変更スイッチ（ＳＷ−ＡＦＤ）の状態がＯＮ状態に変更されるまでは、前述の表示状態が維持される。
【０１０４】
次に、選択された焦点検出領域での焦点検出動作を自動焦点検出回路１０３に行わせる（＃４０８）。自動焦点検出回路１０３による焦点検出動作が行われると、ＣＰＵ１００は選択された焦点検出領域が焦点検出不能な領域か否かを判定する（＃４０９）。不能であれば、ＣＰＵ１００はＬＣＤ駆動回路１０５に信号を送ってファインダ内ＬＣＤ２７の合焦マーク（不図示）を点滅表示させる。こうして、焦点検出が不能であることを撮影者に警告し（＃４１０）、ＳＷ１がＯＦＦされるまでこの動作を続ける（＃４１１）。
【０１０５】
選択された焦点検出領域が焦点検出可能な領域であり、この焦点検出領域での焦点調節状態が合焦でなければ（＃４１２）、ＣＰＵ１００はレンズ焦点調節回路１１０に信号を送って撮影レンズ３を合焦駆動させる（＃４１３）。レンズ駆動後、自動焦点検出回路１０３は再度、焦点検出を行い（＃４０８）、焦点検出領域が合焦しているか否かの判定を行う（＃４１２）。そして、焦点検出領域の合焦が得られると、ＣＰＵ１００はＬＣＤ駆動回路１０５に信号を送ってファインダ内ＬＣＤ２７の合焦マーク（不図示）を点灯させる。
【０１０６】
また、自動焦点検出領域選択モードのときは、図１３（ａ）に示した様に、自動選択された焦点検出領域に対応する焦点検出領域（例えば２２０８）を、一瞬高輝度に点灯し、撮影者に合焦であることを知らせる（＃４１４）。
【０１０７】
ここで、＃４０１ｂの１９点の焦点検出エリアが選択され、更に任意焦点検出領域選択モードで、且つ焦点検出領域選択モード変更スイッチがＯＮの時は、図１３（ｂ）に示した様になる。即ち、任意焦点検出領域として表示されていた焦点検出領域２２０８が一瞬高輝度に点灯し、撮影者に合焦であることを知らせる（＃４１４）。このとき、前述した＃４０５の焦点検出領域移動指示を割り込み操作として可能としている。よって、その他の焦点検出領域２２０１〜２２０７、２２０９〜２２１９の１８点は、撮影者の焦点検出領域移動指示操作による選択移動可能な焦点検出領域として非点灯セグメントの状態ではあるものの薄く焦点検出領域が表示された状態となる。
【０１０８】
一方、＃４０１ｂの４５点の焦点検出エリアが選択され、更に任意焦点検出領域選択モードで、且つ焦点検出領域選択モード変更スイッチがＯＮの時は、図１３（ｃ）に示した様になる。即ち、任意焦点検出領域として表示されていた焦点検出領域２２０８が一瞬高輝度に点灯し、撮影者に合焦であることを知らせる（＃４１４）。このとき、前述した＃４０５の焦点検出領域移動指示を割り込み操作として可能としている。よって、その他の焦点検出領域２２０１〜２２０７、２２０９〜２２１９の１８点と２２３０〜２２５５の２６点の４４点は、焦点検出領域移動指示操作による選択移動可能な焦点検出領域として非点灯セグメントの状態ではあるが、薄く表示される。
【０１０９】
また、任意焦点検出領域選択モードで、且つ焦点検出領域選択モード変更スイッチがＯＦＦの時は、図１３（ａ）と同様な表示を行う。
【０１１０】
以降の動作については、第１実施例の図６にて説明した内容と同様なため、省略する。
【０１１１】
本実施例によれば、選択移動可能な焦点検出領域の領域と、選択移動不可能な焦点検出領域の領域との表示領域を複数（ここでは２つ）のグループに分けて個々に異なる電圧で駆動する。このことで、より多くのオートフォーカスの焦点検出領域が存在するカメラにおいても、選択移動可能な焦点検出領域のみに限定した表示ができる。よって、選択不可能な焦点検出領域が表示されてしまうと言ったことが無くなり、被写体を観察する際に目障り感の少ないファインダが実現される。
【図面の簡単な説明】
【０１１２】
【図１】本発明の実施例である一眼レフカメラの概略構成を示す図。
【図２】本発明の実施例である一眼レフカメラに内蔵された電気回路の構成を示す図。
【図３】本発明の第１実施例であるファインダの視野内の構成を示す図。
【図４】本発明の実施例である液晶表示装置のセグメントの濃度とバイアス電圧との関係を示す説明図。
【図５】本発明の第１実施例であるファインダの視野内の構成を示す図。
【図６】本発明の第１実施例である一眼レフカメラの動作を示すフローチャート。
【図７】本発明の第１実施例であるファインダ視野内の焦点検出領域の選択を表す表示形態を示す説明図。
【図８】本発明の第１実施例であるファインダ視野内の合焦状態の表示形態を示す説明図。
【図９】本発明の実施例における位相差検出方式の焦点検出動作を説明する図。
【図１０】本発明の第２実施例であるファインダの視野内の構成を示す図。
【図１１】本発明の第２実施例である一眼レフカメラの動作を示すフローチャート。
【図１２】本発明の第２実施例であるファインダ視野内の焦点検出領域の選択を表す表示形態を示す説明図。
【図１３】本発明の第２実施例であるファインダ視野内の合焦状態の表示形態を示す説明図。
【符号の説明】
【０１１３】
１０    フォーカシングスクリーン
１３    正立像形成部材（ペンタダハプリズム）
１４ａ、１４ｂ    反射面
１６    接眼光学部材
２０    発光素子
２２    液晶表示装置
２２０１〜２２１９、２２３０〜２２５５    測定領域（セグメント、焦点検出領域、側光領域）
２２０１〜２２１９    第１の測定領域
２２３０〜２２５５    第２の測定領域
ＳＷ−ＡＦＤ    測定領域選択モード変更手段
ＳＷ−Ｔ、ＳＷ−Ｂ、ＳＷ−Ｌ、ＳＷ−Ｒ、ＳＷ−ＤＩＡＬ１、ＳＷ−ＤＩＡＬ２    測定領域移動指示部材
【図１】
2010134026.tif 000003
【図２】
2010134026.tif 000004
【図３】
2010134026.tif 000005
【図４】
2010134026.tif 000006
【図５】
2010134026.tif 000007
【図６】
2010134026.tif 000008
【図７】
2010134026.tif 000009
【図８】
2010134026.tif 000010
【図９】
2010134026.tif 000011
【図１０】
2010134026.tif 000012
【図１１】
2010134026.tif 000013
【図１２】
2010134026.tif 000014
【図１３】
2010134026.tif 000015